(57)【要約】【目的】  凝集器のコンパクト化を図った生ごみ処理装置を提供すること。【構成】  外部空気が導入、排出される冷却ダクト（６）が設けられ、この冷却ダクト内に凝集器（２）が配置され、凝集器は、外径の異なる２本の管が同心状に縦置きされて形成され、外管と内管の間で処理槽内の空気が流通可能とされ、凝集器の上下両端には中心部が開口した蓋が設けられ、上蓋に処理槽内の空気の導入部が、下蓋に結露水と処理槽内の空気の排出部がそれぞれ設けられ、導入部は上蓋の上面に対して傾斜して配置されている。【選択図】図１
2005125238.tif 000002
【特許請求の範囲】
【請求項１】
処理槽内の空気を循環させる密閉循環経路に、空気中の水分を結露させて除去する凝集器が配設された生ごみ処理装置であり、外部空気が導入、排出される冷却ダクトが設けられ、この冷却ダクト内に前記凝集器が配置され、凝集器は、外径の異なる２本の管が同心状に縦置きされて形成され、外管と内管の間で処理槽内の空気が流通可能とされ、凝集器の上下両端には中心部が開口した蓋が設けられ、上蓋に処理槽内の空気の導入部が、下蓋に結露水と処理槽内の空気の排出部がそれぞれ設けられ、導入部は上蓋の上面に対して傾斜して配置されており、この凝集器において、導入部から流入する処理槽内の空気は、外管と内管の間をスパイラル状に流れ、その間に、冷却ダクトを流通する外部空気が外管外側と内管内側を通過することにより冷却され、水分が結露し、除去されることを特徴とする生ごみ処理装置。
【請求項２】
処理槽内の空気を循環させる密閉循環経路に、空気中の水分を結露させて除去する凝集器が配設された生ごみ処理装置であり、外部空気が導入、排出される冷却ダクトが設けられ、この冷却ダクト内に前記凝集器が配置され、凝集器は、蛇腹管が同軸で縦向きにコイル状に巻かれて形成され、蛇腹管において下側に位置する山部間を連続的に連結する導水路が設けられており、この凝集器において、上部から下部へと流通する処理槽内の空気は、冷却ダクト内を流通する外部空気により冷却され、水分が結露し、導水路を通って除去されることを特徴とする生ごみ処理装置。
【発明の詳細な説明】
【技術分野】
【０００１】
この出願の発明は、生ごみ処理装置に関するものである。さらに詳しくは、この出願の発明は、凝集器のコンパクト化を図った生ごみ処理装置に関するものである。
【背景技術】
【０００２】
生ごみ処理装置には、処理槽内の空気を外部に排気せず、循環させて悪臭の散逸を防止しているものがある。このような生ごみ処理装置では、処理槽内の空気中に含まれる水分を空気の循環経路に設けられた凝集器により結露させて除去するようにしている（たとえば、特許文献１参照）。
【特許文献１】特開平６−３１２８０１号公報
【発明の開示】
【発明が解決しようとする課題】
【０００３】
しかしながら、上記特許文献に記載された生ごみ処理装置は、冷媒として水を使用しているため、凝集器に水を溜め置く貯水槽を必要としている。貯水槽の配設は凝集器のサイズを大きなものとしている。また、生ごみの処理量が多くなるにつれ、水分量が増大するため、凝集器のサイズが大きくなり、上記特許文献に記載の生ごみ処理装置では、それにともなって貯水槽も大きくする必要がある。
【０００４】
この出願の発明は、このような事情に鑑みてなされたものであり、凝集器のコンパクト化を図った生ごみ処理装置を提供することを解決すべき課題としている。
【課題を解決するための手段】
【０００５】
この出願の発明は、上記の課題を解決するものとして、第１には、処理槽内の空気を循環させる密閉循環経路に、空気中の水分を結露させて除去する凝集器が配設された生ごみ処理装置であり、外部空気が導入、排出される冷却ダクトが設けられ、この冷却ダクト内に前記凝集器が配置され、凝集器は、外径の異なる２本の管が同心状に縦置きされて形成され、外管と内管の間で処理槽内の空気が流通可能とされ、凝集器の上下両端には中心部が開口した蓋が設けられ、上蓋に処理槽内の空気の導入部が、下蓋に結露水と処理槽内の空気の排出部がそれぞれ設けられ、導入部は上蓋の上面に対して傾斜して配置されており、この凝集器において、導入部から流入する処理槽内の空気は、外管と内管の間をスパイラル状に流れ、その間に、冷却ダクトを流通する外部空気が外管外側と内管内側を通過することにより冷却され、水分が結露し、除去されることを特徴とする生ごみ処理装置を提供する。
【０００６】
この出願の発明は、第２には、処理槽内の空気を循環させる密閉循環経路に、空気中の水分を結露させて除去する凝集器が配設された生ごみ処理装置であり、外部空気が導入、排出される冷却ダクトが設けられ、この冷却ダクト内に前記凝集器が配置され、凝集器は、蛇腹管が同軸で縦向きにコイル状に巻かれて形成され、蛇腹管において下側に位置する山部間を連続的に連結する導水路が設けられており、この凝集器において、上部から下部へと流通する処理槽内の空気は、冷却ダクト内を流通する外部空気により冷却され、水分が結露し、導水路を通って除去されることを特徴とする生ごみ処理装置を提供する。
【発明の効果】
【０００７】
この出願の発明の生ごみ処理装置によれば、凝集器のコンパクト化が図れる。
【発明を実施するための最良の形態】
【０００８】
以下、図面に沿ってこの出願の発明の生ごみ処理装置についてさらに詳しく説明する。
【０００９】
図１は、この出願の発明の第１の生ごみ処理装置を概略的に示した断面図である。
【００１０】
この図１に示したように、この出願の発明の第１の生ごみ処理装置では、処理槽（１）内の空気を循環させる密閉循環経路に、空気中の水分を結露させて除去する凝集器（２）が配設されている。密閉循環経路には、上流側より、処理槽（１）内の空気を排気するための排気ファン（３）、凝集器（２）、水分除去後の空気を適温に加熱する再加熱ヒーター（４）を順に配置することができる。この場合、処理槽（１）内の空気は、排気ファン（３）の作動により密閉循環経路に送り出され、凝集器（２）において冷却され、これにより水分が結露して除去された後、再加熱ヒーター（４）により適温に加熱されて処理槽（１）内に戻される。凝集器（２）により除去された水分は、結露水ボトル（５）へと排出することができる。
【００１１】
また、この出願の発明の第１の生ごみ処理装置では、図１に示したように、外部空気が導入、排出される冷却ダクト（６）が設けられている。冷却ダクト（６）には、外部空気を流通させるための冷却ファン（７）を配設することができ、この冷却ダクト（６）内に凝集器（２）が配置されている。
【００１２】
この出願の発明の第１の生ごみ処理装置では、凝集器（２）は、図２に示したように、外径の異なる２本の管（８）（９）が同心状に縦置きされて形成され、外管（８）と内管（９）の間で処理槽（１）内の空気が流通可能となっている。また、凝集器（２）の上下両端には中心部が開口した蓋（１０）（１１）が設けられ、上蓋（１０）に処理槽（１）内の空気の導入部（１２）が、下蓋（１１）に結露水と処理槽（１）内の空気の排出部（１３）がそれぞれ設けられている。そして、導入部（１２）は上蓋（１０）の上面に対して傾斜して配置されている。
【００１３】
このような凝集器（２）においては、導入部（１２）から流入する処理槽（１）内の空気は、導入部（１２）が上蓋（１０）の上面に対して傾斜して配置されているため、外管（８）と内管（９）の間をスパイラル状に流れる。その間に、図１に示した冷却ダクト（６）を流通する外部空気が、図２に示したように、外管（８）の外側と内管（９）の内側を通過するため、この外部空気の流通により処理槽（１）内の空気は冷却され、水分が結露し、除去される。
【００１４】
このように、この出願の発明の第１の生ごみ処理装置における凝集器（２）は空冷式であるため、冷媒用の貯水槽を必要とせず、コンパクトなものとなっている。また、処理槽（１）内の空気は、凝集器（２）においてスパイラル状に流れるため、効率的に冷却され、生ごみの処理量の増大に対しても十分対応することができ、凝集器（２）のコンパクト化が図られる。
【００１５】
なお、この出願の発明の第１の生ごみ処理装置では、図２に示したように、排出部（１３）を下蓋（１１）の下面に対して導入部（１２）が有する傾斜角度と同一角度で傾斜させて配置させることができる。この場合、外管（８）と内管（９）の間の圧力損失を小さく抑えることができ、凝集器（２）において、処理槽（１）内の空気が良好に流通し、また、結露水の排出をスムーズに行うことができる。
【００１６】
また、この出願の発明の第１の生ごみ処理装置では、図３に示したように、凝集器（２）において、外管（８）と内管（９）との間における処理槽（１）内の空気のスパイラル流をより確実に形成させるために、外管（８）と内管（９）との間に、スパイラル状の風路ガイド（１４）を設けることができる。この風路ガイド（１４）の材質としては、たとえば独立発泡のゴムシーリング材等が例示される。
【００１７】
図４は、この出願の発明の第２の生ごみ処理装置を概略的に示した断面図である。
【００１８】
図４に示したように、この出願の発明の第２の生ごみ処理装置では、上記第１の生ごみ処理装置と同様に、処理槽（１）内の空気を循環させる密閉循環経路に、空気中の水分を結露させて除去する凝集器（２）が配設されている。密閉循環経路には、上流側より、処理槽（１）内の空気を排気するための排気ファン（３）、凝集器（２）、水分除去後の空気を適温に加熱する再加熱ヒーター（４）を順に配置することができる。この場合、処理槽（１）内の空気は、排気ファン（３）の作動により密閉循環経路に送り出され、凝集器（２）において冷却され、これにより水分が結露して除去された後、再加熱ヒーター（４）により適温に加熱されて処理槽（１）内に戻される。凝集器（２）により除去された水分は、結露水ボトル（５）へと排出することができる。
【００１９】
また、この出願の発明の第２の生ごみ処理装置では、図４に示したように、外部空気が導入、排出される冷却ダクト（６）が設けられている。冷却ダクト（６）には、外部空気を流通させるための冷却ファン（７）を配設することができ、この冷却ダクト（６）内に凝集器（２）が配置されている。
【００２０】
この出願の発明の第２の生ごみ処理装置では、凝集器（２）は、図５に示したように、蛇腹管（１５）が同軸で縦向きにコイル状に巻かれて形成されている。蛇腹管（１５）において下側に位置する山部（１６）間は連続的に連結され、導水路（１７）が設けられている。
【００２１】
このような凝集器（２）においては、図５に示したように、上部から下部へと流通する処理槽（１）内の空気は、冷却ダクト（６）内を流通する外部空気により冷却される。その結果、処理槽（１）内の空気中の水分が結露し、導水路（１７）を通って除去される。
【００２２】
このように、この出願の発明の第２の生ごみ処理装置における凝集器（２）もまた、前述のこの出願の発明の第１の生ごみ処理装置と同様に空冷式であるため、冷媒用の貯水槽を必要とせず、コンパクトなものとなっている。
【００２３】
ところで、一般に、熱交換器における交換熱量Ｑは、以下の式で表される。
【００２４】
Ｑ＝ｋΔθmＡ
ここで、ｋ：熱通過率、Δθm：対数平均温度差、Ａ：伝熱面積を示す。
【００２５】
したがって、上記式にしたがえば、伝熱面積を大きくすることにより交換熱量の増大を図ることができることが分かる。この出願の発明の第２の生ごみ処理装置における凝集器（２）を形成する蛇腹管（１５）について考慮すると、山部（１６）の径と谷部（１８）の径の差が大きいほど、伝熱面積を大きくすることができることになる。だが、この場合、結露水が蛇腹管（１５）の谷部（１８）において内部に滞留することになるため、結露水が一定量を超え、越流するまでは断熱効果を持ち、ひいては熱交換効率の低下をきたす。
【００２６】
そこで、この出願の発明の第２の生ごみ処理装置では、上記のとおり、蛇腹管（１５）において下側に位置する山部（１６）間を連続的に連結する導水路（１７）が設けられており、このため、蛇腹管（１５）の内部で結露水は滞留せず、速やかに排出される。冷却効率は良好であり、生ごみの処理量の増大に対しても十分対応することができ、凝集器（２）のコンパクト化が図られる。
【００２７】
もちろん、この出願の発明は、以上の実施形態によって限定されるものではない。生ごみ処理装置の細部の構成及び構造等については様々な態様が可能であることはいうまでもない。
【産業上の利用可能性】
【００２８】
以上詳しく説明したとおり、この出願の発明によって、コンパクトな凝集器を備えた生ごみ処理装置が提供される。
【図面の簡単な説明】
【００２９】
【図１】この出願の発明の第１の生ごみ処理装置を概略的に示した断面図である。
【図２】この出願の発明の第１の生ごみ処理装置における凝集器を示した側面図及び要部断面図である。
【図３】この出願の発明の第１の生ごみ処理装置における凝集器の一形態を示した側面図である。
【図４】この出願の発明の第２の生ごみ処理装置を概略的に示した断面図である。
【図５】この出願の発明の第２の生ごみ処理装置における凝集器付近とその詳細について示した断面図である。
【符号の説明】
【００３０】
１    処理槽
２    凝集器
３    排気ファン
４    再加熱ヒーター
５    結露水ボトル
６    冷却ダクト
７    冷却ファン
８    外管
９    内管
１０    上蓋
１１    下蓋
１２    導入部
１３    排出部
１４    風路ガイド
１５    蛇腹管
１６    山部
１７    導水路
１８    谷部
【図１】
2005125238.tif 000003
【図２】
2005125238.tif 000004
【図３】
2005125238.tif 000005
【図４】
2005125238.tif 000006
【図５】
2005125238.tif 000007